(57)【特許請求の範囲】
【請求項１】
自動車のためのシート装置であって、
シート下方フレームが設けられており、該シート下方フレームが車両乗員のためのシート面を規定し、シート長手方向で延びており、
バックレストが設けられている形式のものにおいて、
前記バックレスト（Ｒ）が、起こされた該バックレスト（Ｒ）の傾斜を異なる使用位置間で調節することが可能な調節装置（４）を介して、前記シートのフレーム構成群（２）に回動可能に取り付けられており、前記調節装置（４）が、前記フレーム構成群（２）の軸受箇所（４０）に取り付けられた調節レバー（４１）を有しており、
前記調節装置（４）と協働してバックレスト（Ｒ）の予め調節された傾斜をロックする、別個のロック装置（５）が設けられており、該ロック装置（５）は前記フレーム構成群（２）の他の軸受箇所（５４）に枢着されたロック部材（５２）を有しており、
前記バックレスト（Ｒ）が、互いに間隔をおいて配置された２つのジョイントレバー（３１，３２）を有するレバー装置（３１，３２）によって、前記シート下方フレームに対して相対的にシート長手方向（Ｌ）に調節可能であり、
前記２つのジョイントレバーの一方（３１）が、前記調節レバー（４１）の軸受箇所（４０）を介して前記フレーム構成群（２）に取り付けられており、かつ、他方のジョイントレバー（３２）が、前記ロック部材（５２）の軸受箇所（５４）を介して前記フレーム構成群（２）に取り付けられている、
ことを特徴とする、自動車のためのシート装置。
【請求項２】
シート長手方向（Ｌ）が、シート装置が自動車に組み込まれた状態に関して車両長手方向（ｘ）に沿って延びている、請求項１記載のシート装置。
【請求項３】
前記２つのジョイントレバー（３１，３２）は、一方ではそれぞれ、バックレスト（Ｒ）と一緒に摺動可能な前記フレーム構成群（２）に、他方では床構成群（３０）に枢着されている、請求項１または２記載のシート装置。
【請求項４】
レバー装置（３１，３２）が、互いに平行に延びる２つの調節レバー（３１，３２）によって形成される、請求項１から３までのいずれか１項記載のシート装置。
【請求項５】
バックレスト（Ｒ）が付加的に長手方向ガイドによってシート長手方向（Ｌ）で可動である、請求項１から４までのいずれか１項記載のシート装置。
【請求項６】
バックレスト（Ｒ）をレバー装置によって、少なくとも２つの、特にちょうど２つの異なる長手方向位置にもたらすことができ、これらの長手方向位置がロック可能である、請求項１から５までのいずれか１項記載のシート装置。
【請求項７】
バックレスト（Ｒ）をシート長手方向（Ｌ）で動かすための手段が、バックレスト（Ｒ）が支承されているフレーム構成群（２）に作用する、請求項１から６までのいずれか１項記載のシート装置。
【請求項８】
バックレスト（Ｒ）が旋回軸線を中心としてシート面へと傾倒可能である、請求項１から７までのいずれか１項記載のシート装置。
【請求項９】
バックレスト（Ｒ）をシート面（Ｆ）へと前方傾倒させる際に、旋回軸線（Ｓ）が所定の軌道に沿って動かされる、請求項８記載のシート装置。
【請求項１０】
旋回軸線（Ｓ）が、シート装置の物理的な構成群（１０，２０）によって形成されている、請求項８または９記載のシート装置。
【請求項１１】
旋回軸線（Ｓ）が、バックレスト（Ｒ）をフレーム構成群（２）に支承する支承軸（１０）によって形成される、請求項８または９記載のシート装置。
【請求項１２】
旋回軸線（Ｓ）が、バックレスト（Ｒ）の前方傾倒の際に、所定の軌道に沿って強制的に案内される、請求項８から１１までのいずれか１項記載のシート装置。
【請求項１３】
旋回軸線（Ｓ）が、所定の軌道に沿って延びるガイド装置（２０）によって強制案内されている、請求項１２記載のシート装置。
【請求項１４】
ガイド装置（２０）がスライドガイドによって形成されている、請求項１３記載のシート装置。
【請求項１５】
旋回軸線（Ｓ）がガイド部材（２７）によって強制案内されていて、該ガイド部材（２７）を介して旋回軸線（Ｓ）がフレーム構成群（２）に結合されていて、前記ガイド部材（２７）はバックレスト（Ｒ）の前方傾倒の際に動かされる、請求項１２記載のシート装置。
【請求項１６】
ガイド部材（２７）が縦長に形成されている、請求項１５記載のシート装置。
【請求項１７】
ガイド部材（２７）がガイドレバーによって形成されている、請求項１５または１６記載のシート装置。
【請求項１８】
バックレスト（Ｒ）が付加的に、旋回軸線（Ｓ）の外側で、フレーム構成群（２）に枢着結合されている、請求項８から１７までのいずれか１項記載のシート装置。
【請求項１９】
バックレスト（Ｒ）が旋回軸線（Ｓ）の外側で、フレーム構成群（２）に連結エレメント（２３）を介して結合されていて、該連結エレメントはバックレスト（Ｒ）からフレーム構成群（２）にまで延びていて、バックレスト（Ｒ）の前方傾倒の際に動かされる、請求項１８記載のシート装置。
【請求項２０】
連結エレメント（２３）が連結レバーによって形成されている、請求項１９記載のシート装置。
【請求項２１】
バックレスト（Ｒ）が旋回軸線（Ｓ）の外側でフレーム構成群（２）にガイド装置（２５）を介して結合されていて、ガイド装置（２５）が、バックレスト（Ｒ）の一区分（１６）を前方傾倒の際にガイドする、請求項１８記載のシート装置。
【請求項２２】
ガイド装置（２５）がスライドガイドによって形成される、請求項２１記載のシート装置。
【請求項２３】
バックレスト（Ｒ）の前方傾倒の際の所定の軌道に沿った旋回軸線（Ｓ）の運動が、バックレスト（Ｒ）とフレーム構成群（２）との協働により旋回軸線（Ｓ）の外側で制御される、請求項１８から２２までのいずれか１項記載のシート装置。
【請求項２４】
旋回軸線（Ｓ）が所定の軌道に沿って、該軌道に沿って延びるガイド装置（２０）または、旋回軸線（Ｓ）をフレーム構成群（２）に結合するガイド部材（２７）によって強制ガイドされ、旋回軸線（Ｓ）の運動が所定の軌道に沿って連結部材（２３）またはガイド装置（２５）によって制御され、該連結部材（２３）またはガイド装置（２５）によって、バックレスト（Ｒ）が旋回軸線（Ｓ）の外側でフレーム構成群（２）に結合されている、請求項１８から２３までのいずれか１項記載のシート装置。
【請求項２５】
旋回軸線（Ｓ）がバックレスト（Ｒ）の前方傾倒の際に閉じられた軌道に沿って運動する、請求項９から２４までのいずれか１項記載のシート装置。
【請求項２６】
旋回軸線（Ｓ）がバックレスト（Ｒ）の前方傾倒の際に、開かれた軌道曲線の一方の端部（２０ａ）から他方の端部（２０ｂ）にまで運動し、軌道曲線の前記一方の端部（２０ａ）へと戻される、請求項２５記載のシート装置。
【請求項２７】
旋回軸線（Ｓ）がバックレスト（Ｒ）の前方傾倒の際に、少なくとも傾倒運動の一部の間に、傾倒運動の方向とはほぼ反対方向に沿って運動される、請求項９から２６までのいずれか１項記載のシート装置。
【請求項２８】
使用位置へと起こされたバックレスト（Ｒ）に相応する位置及び／又はシート面（Ｆ）へと前方傾倒されたバックレスト（Ｒ）に相応する位置で旋回軸線（Ｓ）をロックするための手段（２１，２１ａ）が設けられている、請求項８から２７までのいずれか１項記載のシート装置。
【請求項２９】
旋回軸線（Ｓ）をロックするための手段（２１，２１ａ）がロックレバー（２１）を有している、請求項２８記載のシート装置。
【請求項３０】
ロック装置が、調節装置（４）のセルフロック式の設計により、または調節装置（４）に対応するブレーキにより形成されている、請求項１記載のシート装置。
【請求項３１】
ロック装置（５）が、調節装置（４）をロックするために該調節装置（４）に作用するプライマリロック部材（５１）と、該プライマリロック部材（５１）を、調節装置（４）に作用する所定の位置にロックする、前記フレーム構成群（２）の軸受箇所（５４）に枢着された前記ロック部材（５２）であるセカンダリロック部材（５２）とを有している、請求項１記載のシート装置。
【請求項３２】
セカンダリロック部材（５２）が、プライマリロック部材（５１）と、調節装置（４）との係合を解除し、これによりバックレストの傾斜を変更することができる、請求項３１記載のシート装置。
【請求項３３】
シート面（Ｆ）が、シート下方フレームに配置されたシートクッションによって形成されている、請求項９から３２までのいずれか１項記載のシート装置。
【発明の詳細な説明】
【技術分野】
【０００１】
本発明は、請求項１の上位概念に記載の形式の自動車シートのためのシート装置に関する。
【０００２】
このようなシート装置は、自動車乗員のためのシート面を規定しシート長手方向に延びているシート下方フレームと、フレーム構成群に配置されたバックレストとを有している。
【０００３】
本発明の根底を成す課題は、このようなシート装置の快適性を向上させることである。
【０００４】
この課題は本発明によれば、請求項１の特徴を備えたシート装置により解決される。
【０００５】
請求項１の特徴によれば、バックレストが、シート下方フレームに関してレバー装置によってシート長手方向で調節可能である。
【０００６】
これにより簡単な手段により、一方ではシートクッションの深さを自動車乗員の個人的な要求に適合させることができ、他方ではバックレストを前方にずらすことによりその車両シートの後方に付加的な収納スペースが得られる。
【０００７】
シート下方フレームが延びているシート長手方向とはこの場合、相応の車両シート上に位置している人の大腿部が延びている方向のことである。自動車に組み込まれた状態のシートに関してはこの方向は、車両長手方向（走行方向）に相当する。
【０００８】
この場合、バックレストはレバー装置によって少なくとも２つの、特にちょうど２つの異なる長手方向位置にもたらすことができ、この長手方向位置でそれぞれレバー装置に対応するロック手段によって位置固定可能である。
【０００９】
バックレストの長手方向摺動可能性は、例えばスライドガイドの形の長手方向ガイドによって助成されて得られる。この長手方向ガイドでは、レバー装置、特に平行四辺形装置の形のジョイントレバー対が案内されている。
【００１０】
バックレストをシート長手方向で摺動させるための手段は、フレーム構成群に作用することができる。このフレーム構成群にバックレストは旋回可能に、特に前方傾倒可能に及び／又は傾斜調節可能に枢着されている。これによりバックレストの長手方向摺動性は、バックレストの傾斜調節の可能性もしくは前方傾倒可能性と組み合わせることができる。
【００１１】
本発明の別の側面によれば、自動車乗員のためのシート面を規定するシート下方フレームを備えたシート装置では、シートのフレーム構成群に旋回可能に枢着されたバックレストが設けられていて、このバックレストは旋回軸線を中心としてシート面へとフラップ可能である。
【００１２】
このような形式のシート装置は、自動車のフロントシートを形成するためにも、リヤシートを形成するためにも使用することができる。このようなシート装置により、相応の自動車シートのバックレストをシート面へと前方傾倒させることができ、付加的な積載スペースが得られる。相応のシート面は通常、シート下方フレームに配置されているシートクッションによって形成されている。従ってシート下方フレームは、シートクッションの位置を規定するという意味でシート面を規定している。しかしながらシート面はシート下方フレーム自体によって形成されるのではなく、むしろシートクッションによって形成される。
【００１３】
冒頭で述べた形式のシート装置では、バックレストが前方傾倒の際に、特に、バックレストに設けられたヘッドレストを介して（フロントシートの場合は）フロントガラスに、または（リヤシートの場合は）別のシートのバックレストにぶつかってしまう恐れがあるという問題がある。従って、バックレストをシート面へと前方に傾倒させる前に、ヘッドレストをバックレストから取り外し、別の場所に置いておく必要がある。このことは前方傾倒可能なバックレストを有したシート装置の操作性を著しく損なう。
【００１４】
従って操作性を改善するために、シート面へのバックレストの前方傾倒時にバックレストの旋回軸線を所定の軌道に沿って動かし（摺動させ）、これにより空間的な位置を変更することが提案されている。
【００１５】
このような軌道は、相応の車両シートのバックレストが他の車両構成部分とぶつからないように選択されている。特にこの場合、この軌道は、バックレストの上縁部（ひいてはバックレストの上縁部に配置されたヘッドレスト）がバックレストの前方傾倒時に、他の車両構成部分との衝突がないような曲線に沿って動くように選択されている。
【００１６】
バックレストの旋回軸線はこの場合、物理的な構成群によって形成されている。即ち、仮想旋回軸線ではなく、バックレストを自動車シートのフレーム構成群に旋回可能に支承している支承軸である。
【００１７】
このような旋回軸は、バックレストの前方傾倒時に所定の軌道に沿ってガイド装置、例えばスライドガイドとしてのガイド装置によって、バックレストの上縁部の所望の運動が得られるように強制的に案内される。
【００１８】
旋回軸の移動のための所定の軌道に沿って延びるガイド装置とは選択的に、旋回軸のガイドのために、長手方向で延びるガイド部材が設けられても良い。このガイド部材を介して旋回軸は所属のフレーム構成群に結合されており、バックレストの前方傾倒時に、旋回軸が所定の軌道曲線に沿って動くように動かされる。このような形式のガイド部材として特に、フレーム構成群に旋回可能に枢着されているガイドレバーが適している。
【００１９】
バックレストの前方傾倒時における旋回軸の所定の運動を保証するために、バックレストは付加的に、旋回軸（支承軸）から間隔をおいて配置された区分で、例えばバックレストからフレーム構成群へと延びている連結レバーの形の連結部材を介して、フレーム構成群に結合されていて良い。選択的には、バックレストとフレーム構成群の付加的な連結は、スライドガイドとしてのガイド装置を介して行われても良い。このスライドガイドでは、旋回軸から間隔をおいて配置されたバックレストの区分が前方傾倒の際にガイドされている。
【００２０】
本発明の別の構成によれば、バックレストの前方傾倒の際に旋回軸が閉じられた軌道に沿って動かされる。これにより旋回軸は、バックレストが完全に前方旋回した後は、再び傾倒運動開始前と同じ位置に位置することになる。このことは、旋回軸がバックレストの前方傾倒の際に、開かれた軌道曲線の一方の端部から他方の端部へと動き、再びこの軌道曲線の一方の端部へと戻されることにより得られる。
【００２１】
本発明の別の構成によれば、旋回軸線を所定の位置、即ち、使用位置に起こされたバックレストの位置、及び／又はバックレストがシート面への前方旋回後にとる位置でロックするための手段が設けられている。これによると旋回軸はバックレストの両終端位置で、即ち、バックレストがシート面へと前方傾倒する前に位置する使用位置と、バックレストをシート面へと前方傾倒した後に位置する位置とでロックすることができる。使用位置に起こされたバックレストとは、相応の車両シートに座っている人の背中を支持するために適した位置のバックレストであり、搬送スペースを形成するためにシート面へと前方傾倒させた位置のバックレストではない。
【００２２】
ロック手段としては例えば、旋回可能に支承されたロックレバーが適している。
【００２３】
本発明の別の構成によれば付加的に、起こされたバックレストの傾斜を種々異なる使用位置の間で調節することのできる調節装置が設けられている。このような調節装置は、即ち、バックレストをシート面へと前方傾倒させるために働くのではなく、起こされたバックレストの傾斜角度をやや変更するために働く。これにより、バックレストの角度を、車両乗員の個々の要求に合わせることができる。しかしながらこの場合、バックレストは常に、相応の車両シートに位置している人の背中を支持するために適した１つの位置に常にとどまっている。
【００２４】
バックレストのこのような調節は、このために設けられた調節装置の設計に応じて、バックレスト自体への直接的な手動の操作により、またはバックレストに連結された、場合によっては電気的な駆動装置によって行われる。
【００２５】
予め調節されたバックレストの傾斜を固定するためにロック装置が設けられていて良い。このロック装置は、一方では、バックレストを調節するための所定の調節装置のセルフロック式の設計によって、またはこれと協働するブレーキによって形成されていて、または他方では、バックレストの傾斜の調節がバックレストへの手動による直接の操作により行われる場合は別個のロック手段によって形成される。このような形式の別個のロック手段は、バックレストを固定するためのプライマリロック部材と、プライマリロック部材を、バックレストを固定するために働く位置でロックするセカンダリロック部材であって良い。セカンダリロック部材はさらに、バックレストの傾斜の調節を変更する場合に、プライマリロック部材とバックレストとの係合を解放するために働く。
【００２６】
本発明の別の特徴および利点は、実施例の以下の説明で図面につき明らかにする。
【００２７】
図１には、自動車シートのバックレストＲが示されていて、この場合、バックレストＲのヘッドレストＫが一方では直立の使用位置で、他方ではシート面Ｆ上へと前に倒されたほぼ水平な位置で示されている。シート面Ｆは、シート下方フレーム上のシートクッションから成っている。
【００２８】
バックレストＲは一方ではその傾きＮを種々異なる使用位置の間で調節可能である。これらの使用位置はそれぞれ、バックレストＲが各使用位置で、自動車シート上に位置する人の背中を支えるために適していることを特徴としている。自動車シートの、自動車に組み付けられた状態では、使用範囲は通常、バックレストＲの（鉛直車両軸線ｚに沿った）垂直な整列から後方に大きく傾けられたバックレストＲにまでわたっている。
【００２９】
さらにバックレストＲは、シート下方フレームに配置されたクッションにより形成されるシート面Ｆの方向で前方に倒すことができ、これにより、車両では付加的な搬送スペースが提供される。このことは特に図１に示したようなリヤシートにおいて重要である。
【００３０】
リヤシートのバックレストＲを前方に倒す際には、バックレストＲの表面もしくはその上に配置されたヘッドレストＫが、フロントシートＶのバックレストに衝突する恐れがあるという問題が生じる。これは図１に点線で示した曲線Ａにより示されている。この曲線Ａは、バックレストＲの下方領域における所定の軸線を中心としてバックレストＲを旋回させる際のヘッドレストＫの表面の運動を示している。この曲線Ａが、フロントシートＶのバックレストＲに交差していることがわかる。このことは、後方のシートのバックレストＲは、予めヘッドレストＫを取り外した場合にのみシート面Ｆへと前方に倒すことができることを意味している。このことは、バックレストＲを前方に倒すための装置の操作快適性を減じることになる。
【００３１】
この欠点を減じるために、バックレストＲをシート面Ｆへと前方に倒すための装置は、シート面Ｆへと前方に倒す際のバックレストＲの旋回軸線が、バックレストＲの前方傾倒の際に、ヘッドレストＫの上縁部がフロントシートＶに衝突するのを回避するように運動するように形成されている。
【００３２】
ヘッドレストＫの上縁部の相応の軌道Ｂが図１に実線で示されている。旋回軸線が、バックレストＲの前方傾倒運動の際まず最初に一方では（鉛直な車両軸線ｚに沿って）上方に、他方では（車両長手方向軸線ｘに沿って）後方に運動することがわかる。これにより、本来の軌道Ａ（これはバックレストＲを傾ける際に、動かされていない旋回軸線を中心として描かれる）に対して修正された軌道Ｂは、（鉛直な車両軸線ｚに沿って）やや上方に、かつ（車両長手方向軸線ｘに沿って）やや後方にずらされている。これにより、ヘッドレストＫの上縁部がフロントシートＶのバックレストＲに衝突するのが防止される。
【００３３】
さらに、図１に示した車両シートのバックレストＲはシート長手方向Ｌでシート下方フレームＵとシート面Ｆとに対して摺動可能である。シート長手方向Ｌはこの場合、シート下方フレームＵとその上に配置されている、シート面Ｆを形成するシートクッションが延びている方向として規定されている。自動車に組み付けられた車両シートにおいては、シート長手方向Ｌは車両長手方向ｘに相当する。即ちシート長手方向Ｌは、車両シートが通常、シート長手方向調節装置によって摺動可能である方向に相当する。
【００３４】
シート下方フレームＵとシート面Ｆとに関するシート長手方向Ｌ（もしくは車両長手方向ｘ）でのバックレストＲの摺動は種々様々な目的を果たす。１つにはこれにより、シートクッションの深さを車両乗員の個人的な要求に合わせるために調節することができる。また１つには、シート長手方向Ｌで前方にバックレストＲを摺動させることにより、バックレストＲの後方に付加的な収容スペースが得られる。逆に、バックレストＲを後方に摺動させることにより付加的に、バックレストＲを前方に倒す際にフロントシートＶに衝突しないようにできる。
【００３５】
バックレストＲの傾きの調節、バックレストＲのシート面への傾倒、バックレストＲのシート長手方向Ｌでの摺動を可能にする図１に示した自動車シート構成群１，２，３，４，５については、以下に図２ａ〜図９ｂに付き詳しく説明する。
【００３６】
図２ａにはバックレスト固定具１が示されている。このバックレスト固定具１には、図１に示した自動車シートのバックレストＲが固定可能であって、このバックレスト固定具１は、鉛直の車両軸線ｚに沿った下方の端部の領域に軸受ジャーナル１０を有している。この軸受ジャーナル１０を介してバックレスト固定具１は旋回可能に、シートフレームの支持プレートの形状のフレーム構成群２に支承されている。バックレスト固定具１の軸受ジャーナル１０は、フレーム構成群２のスライドガイド２０に旋回可能に支承されている。これにより軸受ジャーナル１０、ひいてはバックレスト固定具１の旋回軸線Ｓは、スライドガイド２０に沿って摺動することにより、スライドガイド２０の第１の端部２０ａと第２の端部２０ｂとの間で運動する。
【００３７】
図２ａに示した状態では、スライドガイド２０に沿った軸受ジャーナル１０のこのような運動は、フレーム構成群２の軸受個所２２を中心として旋回可能に支承されたロックレバー２１のロック突起２１ａにより阻止される。ロックレバー２１は軸受ジャーナル１０に係合し、これによりスライドガイド２０に沿った軸受ジャーナル１０の運動をブロックする。
【００３８】
バックレスト固定具１はさらに１つの延長部１５を有している。この延長部１５を介してバックレスト固定具１が軸受ジャーナル１０から間隔をおいて、連結レバー２３によって、バックレスト固定具１の傾斜調節のための装置４の調節レバー４１に連結されている。連結レバー２３はこのために、一方の上端部２３ａでバックレスト固定具１の延長部１５に、他方の下端部２３ｂで調節レバー４１に枢着結合されている。調節レバー４１は、フレーム構成群２に設けられた軸受個所４０を中心として旋回可能であって、外側歯列４２を有している。この外側歯列４２はロック装置５に、調節レバー４１の旋回運動が図２に示した状態では不可能であるように係合する。
【００３９】
調節レバー４１はさらにスライドガイド４３を有している。このスライドガイド４３には、フレーム構成群２に設けられたピン４４が係合し、調節レバー４１の可能な旋回領域を制限するために働く。
【００４０】
調節レバー４１に対応するロック装置５はプライマリロック部材５１を有している。このプライマリロック部材５１は、ロックレバーとしてフレーム構成群２に設けられた軸受個所５３を中心として旋回可能であって、歯列領域５５を有している。この歯列領域５５は、調節レバー４１をロックするために調節レバー４１の歯列領域４２に係合する。プライマリロック部材５１には、同様にロックレバーとして形成された、別の軸受個所５４を中心として旋回可能なセカンダリロック部材５２が対応している。セカンダリロック部材５２は当接部５２ａで、プライマリロック部材５１の対応する当接部５１ａに当接し、これにより調節レバー４１の歯列を解放するプライマリロック部材５１の旋回運動を阻止する。
【００４１】
セカンダリロック部材５２には力の作用点５６が設けられている。この作用点５６に、セカンダリロック部材５２の旋回を行わせる力が導入され、これにより互いに対応するロック部材５１，５２の当接部５１ａ，５２ａの係合が解除される。セカンダリロック部材５２の相応の旋回運動を行わせるためには、任意の物理的もしくは技術的原理が利用される。例えば、電磁石または電動モータとしてのアクチュエータまたは選択的に手動の操作装置等である。
【００４２】
プライマリロック部材５１は有利には、図２に示されていない弾性的なエレメントによって、プライマリロック部材の旋回後に自動的に、旋回軸線５３を中心として、調節レバー４１の歯列が解放されるように回転するようにプリロードをかけられている（図２ｂ参照）。選択的には、セカンダリロック部材５２の旋回時に、このセカンダリロック部材５２はプライマリロック部材５１の延長部５１ｂに作用し、これによりプライマリロック部材５１の旋回運動を生ぜしめることができる。このような旋回運動により、プライマリロック部材５１の歯列５５と、対応する調節レバー４１の歯列４２との係合が解除される。
【００４３】
図２ｂに示した状態では、バックレスト固定具１の、ひいてはバックレストＲの傾斜の変更を、手動で力を直接バックレストＲ自体に加えることにより行うことができる。これにより、バックレスト固定具１の傾斜は、軸受ジャーナル１０によって規定される旋回軸線Ｓを中心とした旋回運動により新たに調節される。旋回軸線Ｓはこの場合、軸受ジャーナル１０がロックレバー２１のロック突起２１ａによって、スライドガイド２０の第１の端部２０ａで固定されているので動かない。バックレストＲの傾きの調節は即ち、定置の軸線Ｓを中心とした旋回運動により行われる。
【００４４】
調節運動の終了後には、バックレスト固定具１の調節された現在の傾きがロック装置５によって固定される。この場合、セカンダリロック部材５２は再びプライマリロック部材５１に作用して、バックレスト固定具１に連結レバー２３を介して連結された調節レバー４１をロックする。
【００４５】
図３ａおよび図３ｂには、図２ａおよび図２ｂに基づき説明した装置によって可能であるバックレスト固定具１の前方への傾倒状態が示されている。これによりバックレストＲはシート面Ｆへと前方に倒される（図１参照）。
【００４６】
図３ａにはこの装置が、バックレスト固定具１が、シート面Ｆへと前方に倒される際の経路をちょうど半分進んだ状態で示されていて、図３ｂは完全に前方に倒されたバックレスト固定具１が示されている。
【００４７】
バックレスト固定具１の前方傾倒は、まず最初に、旋回軸線２２を中心としてロックレバー２１が旋回することにより、ロック突起２１ａとバックレスト固定具１の旋回軸線Ｓを形成する軸受ジャーナル１０との係合が解除されることにより行われる（図３ａ参照）。このために必要なロックレバー２１の旋回運動は手動または外部からの力作用により（例えば電気的に）適当なアクチュエータにより発動される。
【００４８】
軸受ジャーナル１０の、即ち旋回軸線Ｓのロック解除後は、バックレストＲ（図１参照）が、バックレスト固定具１とともに、車両シートのシート面Ｆの方向で前方に倒される。この場合、バックレストＲは人によって把持され、シート面Ｆへと動かされる。バックレストＲとバックレスト固定具１のこのようなフラップ運動の際に、バックレスト固定具１の前方への傾倒時のその都度、目下の旋回軸線Ｓを規定する軸受ジャーナル１０が、スライドガイド２０において第１の当接部２０ａと第２の当接部２０ｂとの間で運動する。
【００４９】
スライドガイド２０における軸受ジャーナル１０の運動は、連結レバー２３によって制御される。連結レバー２３を介してバックレスト固定具１は、旋回軸線Ｓの外側で調節レバー４１と連結されている。調節レバー４１は、バックレストＲもしくはバックレスト固定具１の前方傾倒の際に、対応するロック装置５によってロックされているので、バックレスト固定具１は前方傾倒の際に、連結レバー２３を介して、フレームに固定された（フレーム構成群２に関して不動の）エレメントに連結されている。
【００５０】
連結レバー２３のバックレスト固定具１への作用下で、バックレスト固定具１の軸受ジャーナル１０はバックレスト固定具１の前方傾倒の際に、スライドガイド２０の第１の端部２０ａから第２の端部２０ｂへと運動し、次いで再び第１の端部２０ａへと戻る。従って、バックレスト固定具１が完全に前方に倒された状態では、軸受ジャーナル１０と旋回軸線Ｓとは再び、フラップ運動開始時と同じ位置に位置する。このことは、図１からも明らかである。図１によると、曲線Ａ（旋回軸線が場所的に固定されている状態でバックレストＲが前方に倒された場合の曲線に相当）と曲線Ｂ（旋回軸線が空間的に変更可能な状態でバックレストＲが前方に倒された場合の曲線に相当）とは、フラップ運動の開始時（バックレストＲが直立されている）とフラップ運動の終了時（バックレストＲが完全に前方に倒されている）ではそれぞれ一致している。
【００５１】
図１に点線で示した軌道曲線Ａ（旋回軸線が空間的に固定された状態でのフラップ運動）から実線で示した軌道曲線Ｂ（旋回軸線が空間的に変更可能な状態でのフラップ運動）への移行は、この場合、後者の軌道Ｂが前者の軌道Ａに対して（鉛直の車両軸線ｚに沿って）上方にかつ（車両長手方向軸線ｘに沿って）後方にずらされているのであるが、フレーム構成群２に設けられたスライドガイド２０が第１の端部２０ａから第２の端部２０ｂへと斜め上方かつ後方に延びていることにより、即ち、スライドガイド２０が、鉛直の車両軸線ｚに沿って上方の、かつ車両長手方向軸線ｘに沿って後方の成分を有していることにより得られる。従ってフラップ運動の両最終点以外では、軸受ジャーナル１０と旋回軸線Ｓとは常に、フラップ運動の開始時に占めている位置の上方および後方に位置している。それぞれの位置はさらに、軸受ジャーナル１０がフラップ運動の開始前に、スライドガイド２０の前方または下方の第１の当接部２０ａに当接することにより規定されている。
【００５２】
特に旋回軸線Ｓは、バックレストＲの前方への傾倒時に少なくともフラップ運動の第一部の間は、（車両長手方向軸線ｘで見て後方への成分と、鉛直の車両軸線ｚに沿った上方への成分とを備えた）１つの方向に沿って運動される。この方向は、（車両長手方向軸線ｘに沿った前方への成分と、鉛直の車両軸線ｚに反した後方への成分とを備えた）フラップ運動の方向とはほぼ逆方向である。
【００５３】
スライドガイド２０の第１の当接部２０ａを起点として、スライドガイド２０における両当接部２０ａ，２０ｂ間での軸受ジャーナル１０のさらなる運動が連結レバー２３によって制御される。従ってスライドガイド２０は、軸受ジャーナル１０の旋回軸線Ｓが、バックレスト固定具１の前方傾倒の際に運動する軌道を規定し、連結レバー２３がこの軌道に沿った運動を規定する。
【００５４】
従ってスライドガイド２０のジオメトリの変更ならびに連結レバー２３の配置の変更により任意の別の軌道を生ぜしめることができ、この軌道に沿ってバックレスト固定具１の旋回軸線Ｓが、バックレスト固定具１の前方傾倒時に運動することができ、これにより、前方傾倒時のバックレストＲの規定された所望の運動が得られる。
【００５５】
図４には、図２ａ〜図３ｂに示した装置の変化実施例が示されている。調節レバー４１は歯列４２を介して駆動ピニオン４５と協動する。駆動ピニオン４５は、バックレスト固定具の傾斜を調節するために手動でまたは外部操作（特に電動モータ）によって回転可能である。駆動ピニオン４５の回転運動は、旋回軸線４０を中心とした調節レバー４１の旋回運動に変換され、この旋回運動は連結レバー２３を介してバックレスト固定具１に伝達され、従ってバックレスト固定具１の傾斜調節を変更する。
【００５６】
所定の傾斜位置でのバックレスト固定具１のロックはこの場合、駆動ピニオン４５を駆動する駆動装置がセルフロック式に形成されているか、または別個のブレーキ装置に連結されていることにいより得られる。いずれにせよ駆動ピニオン４５が、被駆動側から、即ち調節レバー４１の側からトルクがかけられる場合に動くことを阻止しなければならない。
【００５７】
図５には、図２ａ〜図３ｂの装置の別の変化実施例が示されている。１つには、図５の装置では、バックレスト固定具１の傾斜を調節するための装置が設けられていない。バックレスト固定具１はこの場合、即ち、専らシート面へと前方傾倒可能であるが、異なる使用位置間での傾斜を調節することはできない。このような装置は特に、自動車のリヤシートでの使用に適している。
【００５８】
さらにバックレスト固定具１を旋回軸線Ｓのほかに、フレーム固定のエレメントに連結する図２ａ〜図３ｂの連結レバー２３は、この実施例では制御ガイド２５によって代替されており、制御ガイド２５には、バックレスト固定具１の延長部１５が、延長部１５に設けられたガイドエレメント１６によって、第１の端部２５ａと第２の端部２５ｂとの間で案内されている。図２ａ〜図３ｂの連結レバー２３と同様に、図５の制御ガイド２５は、スライドガイド２０における軸受ジャーナル１０と旋回軸線Ｓの運動を制御する機能を有する。
【００５９】
図６には、図２ａ〜図３ｂの装置の第３変化実施例が示されている。この実施例の唯一の相違点は、種々異なる使用位置間でバックレストの傾斜を調節するための装置が設けられていないことにある。その代わり連結レバー２３が、下方端部２３ｂで直接に支持プレート２に旋回可能に枢着されている。
【００６０】
図７に示した図２ａ〜図３ｂの装置の第４変化実施例は、スライドガイド２０がガイドレバー２７によって置き換えられている。このガイドレバー２７は旋回可能にフレーム構成群２の軸受個所２８に配置されている。このガイドレバー２７の、軸受個所２８とは反対側の自由端部は、バックレスト固定具１の軸受ジャーナル９に枢着結合されている、もしくはこれを回転可能に受容している。この場合、図７に示していない、ガイドレバー２７をロックするための付加的な装置は、一方の端部位置もしくは両方の端部位置に設けなければならない。この装置は、使用位置に位置された、もしくはシート面へと前方傾倒されたバックレストに対応する。ガイドレバー２７にはこの場合、当接部２９が設けられていて、この当接部はガイドレバー２７の旋回の際の終端位置を規定し、これによりスライドガイドの端部ストッパの作用を果たす。
【００６１】
この実施例では前方傾倒の際のバックレスト固定具１の、軸受ジャーナル１０もしくは旋回軸線Ｓの運動は、ガイドレバー２７が、軸受個所２８によって形成された軸線を中心として旋回することにより行われる。このような運動の制御は、図６の実施例のように、フレーム構成群２に直接に枢着されている連結レバー２３によって行われる。
【００６２】
図７の装置は、従って、バックレストのシート面への前方傾倒のための装置として４リンク機構を形成している。
【００６３】
図８ａおよび図８ｂには本発明の別の側面が示されている。これによれば、自動車シートのバックレストＲがシート長手方向Ｌ（図１参照）もしくは車両長手方向ｘで、シート下方フレームおよびこれに所属のシート面Ｆに関して可動である。このことはこの実施例では、バックレストＲに配置されているフレーム構成群２（支持プレート）が車両長手方向ｘで摺動可能であることにより得られる。
【００６４】
車両長手方向ｘでのフレーム構成群２の可動性は、フレーム構成群２が、車両長手方向ｘで見て前方の端部の領域、および車両長手方向ｘで見て後方の端部の領域でそれぞれ調節レバー３１もしくは３２を介して床構成群３０に枢着結合されていることにより得られる。両調節レバー３１，３２は、シートフレーム全体を調節するためにも公知であるように平行四辺形を形成していて、それぞれ上端部３１ａもしくは３２ａでフレーム構成群２に、下端部３１ｂもしくは３２ｂで床構成群３０に枢着されている。この場合常に平行に向けられている調節レバー３１，３２の共通の旋回により、バックレストＲは車両長手方向で前方に向かって動かされる（図８ｂ）もしくは再び後方に向かって動かされる（図８ａ）。
【００６５】
バックレストＲを車両長手方向ｘで調節する際に、バックレストＲの高さを鉛直の車両軸線ｚに沿って一定に保つならば、調節レバー３１，３２は第２の端部位置（図８ｂ）で、鉛直の車両軸線ｚに対して逆方向で第１の端部位置（図８ａ）の場合と同じ傾斜を有していなければならない。この場合、調節レバー３１，３２によって形成された調節装置３によっては、図８ａおよび図８ｂに示したようにバックレストＲの２つの異なる長手方向位置しか調節できない。
【００６６】
これに対して、車両長手方向ｘの方向でのバックレストＲの調節の際に、鉛直の車両軸線ｚに沿ったバックレストＲの位置の変更も行われるならば、２つ以上の位置も車両長手方向ｘで調節可能である。この場合、相応のロック部材、例えばバックレストＲを個々の長手方向位置でロックすることのできる係止部材を設けなければならいない。
【００６７】
図８ａおよび図８ｂに示された実施例では、バックレストＲの車両長手方向ｘでの調節は単に、図８ａおよび図８ｂに示された両端部位置の間でのみ行われる。これらの端部位置はそれぞれ、相応の制限手段、例えばストッパまたは別のロック手段としての制限手段が設けられている場合には安定的である。これらのロック手段は、それぞれ端部位置を越えて調節レバー３１，３２がさらに旋回するのを防止する、もしくは、調節レバー３１，３２を各端部位置でロックすることができる。
【００６８】
床構成群３０はさらに、長手方向ガイドにおいて車両長手方向ｘで摺動可能に案内されていて良い。
【００６９】
図９ａおよび図９ｂには図８ａおよび図８ｂの調節装置と、図２ａ〜図３ｂの調節装置の組合せが示されている。これによりシート長手方向ｘでのバックレスト固定具１の調節が可能であり、バックレスト固定具１の傾斜Ｎとさらに相応の車両シートのシート面の方向でのバックレスト固定具１の前方傾倒が可能である。この場合、両調節レバー３１，３２は上端部３１ａ，３２ａで調節レバー４１の軸受個所４０もしくは第２のロック部材５２の軸受個所５４に枢着されている。
【００７０】
図１０に示した装置は、対応するロック装置５を備えた直立の使用位置でバックレストＲの傾斜角度を調節するための装置４と、シート面へのバックレストＲの前方傾倒のための装置を有しており、図２ａ〜図３ｂに示した装置にほぼ相当する。次に、主要な技術的な相違点に関してのみ説明する。図１０に示した装置のその他の構成については、図２ａ〜図３ｂの相応の構成が参照される。この場合、図１０における同じ構成部材もしくは構成群にはそれぞれ図２ａ〜図３ｂと同じ符号が付けられている。
【００７１】
まず最初に、図１０に示した装置では２つの構成部材、即ちバックレスト固定具１と連結レバー２３とが、その他の構成群、即ち、ロックレバー２１と調節レバー４１とロック装置５とは、反対のフレーム構成群２の側に配置されている（即ち第２の側もしくは背面）ことに注意されたい。その他の構成群、即ち、ロックレバー２１と調節レバー４１とロック装置５はフレーム構成群２の第１の側（前側）に配置されている。これら構成群をフレーム構成群２の異なる側に配置することは図１０には示されていない。何故なら、この場合、個々の構成部材と構成群とは図面全体でそれぞれ透けて示されているからである。個々の構成群をフレーム構成群２の異なる側に配置することは、調節過程で構成群の衝突を避けるために必要である。
【００７２】
図１０に示した配置では、バックレスト固定具１の延長部１５への連結レバー２３の枢着個所により形成される軸線と、調節レバー４１の軸受個所４０により形成される軸線とが１つの円軌道に位置し、その円の中心点が、バックレスト固定具１の旋回軸線Ｓにより形成され、この中心点に関して規定された曲率半径Ｒを有している。
【００７３】
例えば図３ａおよび図３ｂにつき説明したようにバックレストＲのバックレスト固定具１が、軸受ジャーナル１０のロック解除および次いで行われるバックレストＲの前方傾倒とにより、（バックレストＲの使用位置に応じた）図１０に示した直立位置から（シート面へと前方傾倒されたバックレストＲの位置に相応して）ほぼ水平の位置へと前方に傾倒されるので、これにより連結レバー２３の枢着個所２３ａにより形成される軸線と、調節レバー４１の軸受個所４０により形成される軸線とが、図１１ａ〜図１１ｃに示したように一致し、従って重なる。
【００７４】
図１１ａ〜図１１ｃには、図１０の装置が、シート面へのバックレストＲの前方傾倒後の、ほぼ水平なバックレスト固定具１の方向に相応して示されている。図１１ａ〜図１１ｃはこの場合、水平位置への前方傾倒前のバックレスト固定具１（ひいてはバックレストＲ）の傾斜の調節が異なる。この異なる調節は、調節レバー４１の異なる角度位置として図１１ａ，図１１ｂ，図１１ｃに示されている。
【００７５】
調節レバー４１の図１１ａに示した（ロック装置５によって固定された）調節は、バックレスト固定具１が、後方での使用位置において極めて大きな傾斜であった場合に相応する。図１１ｂに示した調節レバー４１の調節は、後方での使用位置におけるバックレスト固定具１の中程度に傾斜していた場合に相当する。即ち、図１０に示した使用位置でのバックレスト固定具１の傾斜Ｎに相当する。即ち図１０では、調節レバーが、図１１ｂと同じ角度位置に位置している。図１１ｃには、前方傾倒の前はほぼ鉛直に、即ち鉛直車両軸線に対してほぼ平行に向けられているバックレスト固定具１の前方傾倒が示されている。
【００７６】
図１１ａ〜図１１ｃによれば、連結レバー２３の枢着個所２３ａを規定する軸線と、調節レバー４１の軸受個所４０により規定される軸線とは３つ全ての場合で重なる。即ち、バックレスト固定具１が前方傾倒する前に、極めて大きく後方に傾けられた位置に位置している（図１１ａ）か、または後方への中間傾斜の位置（図１１ｂ）にあるか、または傾斜がいずれにせよ僅かであるほぼ鉛直の向きであるか（図１１ｃ）に関わらず重なる。３つ全ての場合、連結レバー２３の上方の枢着個所２３ａは、バックレストＲの前方傾倒時に端部で、（フレーム構成群２の反対の側で）、調節レバー４１の軸受個所４０の下側に位置する位置をとる。これは、前記枢着個所２３ａと軸受個所４０とが、バックレスト固定具１の旋回軸線Ｓを中心として規定の半径Ｒを有する円軌道に沿って位置し、この旋回軸線Ｓが使用位置から前方傾倒位置へのバックレストのフラップ運動の最初と最後で、その都度、ガイド軌道２０の同じ端部２０ａに、即ちフレーム構成群２の同じ位置に位置していることにより得られる。
【００７７】
図１０に示し、図１１ａ〜図１１ｃにつき詳しく説明した装置により、バックレスト固定具１が、ひいてはバックレストＲがシート面への前方傾倒後に、前方傾倒する前にいかなる傾斜角度を有しているかには関係なくそれぞれほぼ水平に、相応の車両シートのシート面上で同じ位置に位置することができる。従って即ち、もともと著しく後方に傾けられたバックレストＲを、バックレストＲを予めほぼ鉛直な使用位置へと移動させる必要なしに直接シート面へと前方に倒すことができる。
【図面の簡単な説明】
【００７８】
【図１】自動車シートのシート面へと前方傾倒可能で、かつ傾斜調節可能なバックレストを備えた自動車シートを概略的に示した図である。
【図２】図２Ａ、図２Ｂは、図１のバックレストの傾斜調節のための装置を詳しく示した図である。
【図３】図３Ａ、図３Ｂは、図１のバックレストをシート面へと前方傾倒するための装置を詳しく示した図である。
【図４】図２Ａおよび図２Ｂに示したバックレストの傾斜調節のための装置の変化実施例を示した図である。
【図５】図３Ａおよび図３Ｂに示したバックレストの前方傾倒のための装置の変化実施例を示した図である。
【図６】傾斜調節不能なバックレストの前方傾倒のための装置を示した図である。
【図７】図３Ａおよび図３Ｂに示したバックレストの前方傾倒のための装置の別の変化実施例を示した図である。
【図８】図８Ａ、図８Ｂは、シート長手方向で自動車シートのバックレストを摺動させるための装置を示した図である。
【図９】図９Ａ、図９Ｂは自動車シートのバックレストの傾斜調節のための装置と、バックレストの前方傾倒のための装置と、バックレストのシート長手方向での摺動のための装置とを組み合わせたものを示した図である。
【図１０】自動車シートのバックレストの前方傾倒のための装置の別の実施例を示した図である。
【図１１】図１１Ａ、図１１Ｂ、図１１Ｃは、図１０に示した装置を、バックレストが前方傾倒した状態で示した図であって、図１１Ａ〜図１１Ｃはそれぞれ前方傾倒する前は使用位置ではバックレストの傾斜が異なっていたものである。
【図１】
0004663322.tif 000002
【図２】
0004663322.tif 000003
【図３Ａ】
0004663322.tif 000004
【図３Ｂ】
0004663322.tif 000005
【図４】
0004663322.tif 000006
【図５】
0004663322.tif 000007
【図６】
0004663322.tif 000008
【図７】
0004663322.tif 000009
【図８Ａ】
0004663322.tif 000010
【図８Ｂ】
0004663322.tif 000011
【図９Ａ】
0004663322.tif 000012
【図９Ｂ】
0004663322.tif 000013
【図１０】
0004663322.tif 000014
【図１１Ａ】
0004663322.tif 000015
【図１１Ｂ】
0004663322.tif 000016
【図１１Ｃ】
0004663322.tif 000017